(57)【要約】  無線アクセスネットワークにおいてユーザ装置（１０）を動作させる方法が開示されている。この方法は、シンボル構成に基づいて、複数のシンボルを含む送信タイミング構造内のスケジュール送信の境界シンボルを決定することを含む。本開示はまた、関連する方法およびデバイスに関連する。【選択図】図２
2020520170.tif 000002
【特許請求の範囲】
【請求項１】
無線アクセスネットワークにおいてユーザ装置（１０）を動作させる方法であって、該方法は、シンボル構成に基づいて、送信タイミング構造におけるスケジュール送信の境界シンボルを決定することを含み、前記送信タイミング構造は複数のシンボルを含む、方法。
【請求項２】
無線アクセスネットワークのためのユーザ装置（１０）であって、該ユーザ装置（１０）は、シンボル構成に基づいて、送信タイミング構造におけるスケジュール送信の境界シンボルを決定するように適合され、前記送信タイミング構造は複数のシンボルを含む、ユーザ装置（１０）。
【請求項３】
無線アクセスネットワークにおいてネットワークノード（１００）を動作させる方法であって、該方法は、シンボル構成でユーザ装置（１０）を構成することを含み、前記シンボル構成は、複数のシンボルを含む送信タイミング構造におけるスケジュール送信の境界シンボルを示す、方法。
【請求項４】
無線アクセスネットワークのためのネットワークノード（１００）であって、該ネットワークノード（１００）は、シンボル構成でユーザ装置（１０）を構成するように適合され、前記シンボル構成は、複数のシンボルを含む送信タイミング構造におけるスケジュール送信の境界シンボルを示す、ネットワークノード（１００）。
【請求項５】
前記シンボル構成は、制御シグナリング、特に無線リソース制御レイヤの制御シグナリングで構成され、および／または、半永続的に構成され、および／または、事前定義される、請求項１乃至４のいずれか１項に記載の方法またはデバイス。
【請求項６】
前記スケジュール送信は、物理チャネル、特に共有物理チャネル、例えば、物理アップリンク共有チャネルまたは物理ダウンリンク共有チャネルでの送信を表す、請求項１乃至５のいずれか１項に記載の方法またはデバイス。
【請求項７】
前記境界シンボルは、前記送信タイミング構造の構造参照シンボル、例えば、前記送信タイミング構造の第１のシンボル、または、前記送信タイミング構造における制御領域のシンボル、に関連して決定される、請求項１乃至５のいずれか１項に記載の方法またはデバイス。
【請求項８】
前記送信タイミング構造は、構成可能なシンボル数をカバーする制御領域を含む、請求項１乃至７のいずれか１項に記載の方法またはデバイス。
【請求項９】
前記送信タイミング構造のシンボルの持続時間はヌメロロジーに依存し、前記ヌメロロジーは構成可能であり得る、請求項１乃至８のいずれか１項に記載の方法またはデバイス。
【請求項１０】
前記シンボル構成は１つまたは複数のシンボルのセットを示し、前記境界シンボルは前記セットから選択可能である、請求項１乃至９のいずれか１項に記載の方法またはデバイス。
【請求項１１】
前記境界シンボルはダウンリンク制御情報に基づいてさらに決定される、請求項１乃至１０のいずれか１項に記載の方法またはデバイス。
【請求項１２】
前記シンボル構成は、リソース構成の一部である、および／または、リソース構成内でシグナリングされる、請求項１乃至１１のいずれか１項に記載の方法またはデバイス。
【請求項１３】
前記シンボル構成および／または関連するリソース構成は、特定のスロットにおいて、複数の送信タイミング構造、特に５以上または７以上または１０以上の送信タイミング構造、の持続時間にわたって有効である、請求項１乃至１２のいずれか１項に記載の方法またはデバイス。
【請求項１４】
請求項１、３または５乃至１３のいずれか１項に記載の方法を処理回路に制御および／または実行させる命令を含むプログラム製品。
【請求項１５】
請求項１４に記載のプログラム製品を搬送および／または格納するキャリア媒体装置。
【発明の詳細な説明】
【技術分野】
【０００１】
この開示は、特に、ニューラジオ（ＮＲ）技術などの３ＧＰＰ（第３世代パートナーシッププロジェクト、標準化組織）に従った第５世代技術のコンテキストでの無線通信技術に関連する。
【背景技術】
【０００２】
最新の無線通信技術、特にＮＲは、広範な用途を対象としており、対応する通信システムとネットワークに信号の柔軟性を持たせる必要がある。ただし、柔軟性は、シグナリング、特に制御シグナリングの増加という犠牲を払う可能性があり、これは望ましくないシグナリングのオーバーヘッドにつながる可能性がある。
【発明の概要】
【０００３】
本開示の目的は、特にスケジューリングシグナリングのコンテキストにおいて、制限されたオーバーヘッドで柔軟なシグナリングを可能にするアプローチを提供することである。本明細書で説明するアプローチは、５Ｇ標準、特にＮＲによる無線アクセスネットワーク（ＲＡＮ）に特に有用である。
【０００４】
したがって、無線アクセスネットワークでユーザ装置を動作させる方法が説明されている。この方法は、シンボル構成に基づいて、複数のシンボルを含む送信タイミング構造内のスケジュール送信の境界シンボルを決定することを含む。この方法は、決定された境界シンボルに基づいて通信することも含み得る。
【０００５】
さらに、無線アクセスネットワークのためのユーザ装置が提案されている。ユーザ装置は、シンボル構成に基づいて、送信タイミング構造内のスケジュールされた送信の境界シンボルを決定するように適合されている。送信タイミング構造は、複数のシンボルを含む。また、ユーザ装置は、決定された境界シンボルに基づいて通信するように適合され得る。ユーザ装置は、そのような決定および／または通信のための処理回路および／または無線回路（例えば送信機および／または送受信機および／または受信機）を含み得および／または利用するように適合され得る。代替的または追加的に、ユーザ装置は、決定するための決定モジュールおよび／または通信するための通信モジュールを含み得る。
【０００６】
決定された境界シンボルに基づく通信は、送信の境界を表す境界シンボル（たとえば、開始シンボルまたは終了シンボル）でシグナリングを送信すること、または、送信の境界を表す境界シンボル（たとえば、開始シンボルまたは終了シンボル）で送信を受信（または受信を期待または準備）することであり得る。そのような通信は、特に、送信をチャネルに関連付けること、例えば、チャネルを送信すること、または、スケジュール送信が関係するまたはスケジュールされているチャネルを受信することを含み得る。
【０００７】
無線アクセスネットワークでネットワークノードを動作させる方法も考慮され得る。この方法は、シンボル構成でユーザ装置を構成することを含む。シンボル構成は、複数のシンボルを含む送信タイミング構造内のスケジュール送信の境界シンボルを示す。
【０００８】
さらに、無線アクセスネットワークのためのネットワークノードについて説明する。ネットワークノードは、シンボル構成でユーザ装置を構成するように適合されている。シンボル構成は、複数のシンボルを含む送信タイミング構造内のスケジュール送信の境界シンボルを示す。ネットワークノードは、そのような構成のために、処理回路および／または無線回路（特に送信機および／または送受信機）を含み得および／または利用するように適合され得る。代替的または追加的に、ネットワークノードは、そのような構成のための構成モジュールを含み得る。
【０００９】
シンボル構成は、境界シンボル、特に独立したおよび／またはスケジューリング情報を含む（例えば物理レイヤの）ダウンリンク制御シグナリングの代わり、を示すために使用され得る。特に、シンボル構成は、スケジュール送信の時間の前に複数の送信タイミング構造（例えば、スロット）（例えば、３個以上、５個以上、７個以上、または１０個以上の送信タイミング構造）で構成され得る。
【００１０】
代替的または追加的に、構成、特にシンボル構成は、複数のスケジュール送信（たとえば２以上、４以上、または８以上）に対して有効になるように、および／または、不特定の時間または送信タイミング構造の数の間（たとえば、他の構成によって変更または取り消されるまで）、および／または、２または４または６または１０より大きい送信タイミング構造の数、および／または、少なくとも１０以上のスロットを含む無線フレームの間有効になるように構成され得る。代替的または追加的に、構成は、分離した送信タイミング構造で送信するようにスケジュールされた複数のスケジュール送信に対して有効であると考えられ得る。スケジュール送信は、たとえば構成／スケジュールの有効期間中に、定期的および／または準定期的であり得る。そのような構成はいずれも、半永続的（準静的とも呼ばれる）構成の例と見なされ得、それは、特にＲＲＣレイヤシグナリング、または場合によってはＭＡＣレイヤシグナリングに基づいておよび／または構成され得る。
【００１１】
シンボル構成および／またはリソース構成などの構成は、たとえば有効な時間／送信のために送信をスケジュールし得、および／または、送信は別個のシグナリングまたは別個の構成、たとえば別個のＲＲＣシグナリングおよび／またはダウンリンク制御情報シグナリングによってスケジュールされ得る。ＭＡＣ（メディアアクセス制御）シグナリングやＲＲＣレイヤシグナリングのような上位レイヤシグナリングとは対照的に、ダウンリンク制御情報、具体的にはＤＣＩシグナリングは物理レイヤシグナリングと見なすことができる。シグナリングのレイヤが高ければ高いほど、少なくとも部分的にはそのようなシグナリングに含まれる情報がいくつかのレイヤ（各レイヤは処理と取り扱いを必要とする）を通過しなければならないため、より少ない頻度／より多くの時間／リソース消費が考慮され得る。
【００１２】
分離した送信タイミング構造は、少なくともスケジュール送信が関係するチャネル上で、デバイスが送信のためにスケジュールされていない他の送信タイミング構造が配置される構造／時間間隔であり得る。送信がスケジュールされている構造の間に、このような構造が１つまたは複数存在し得る。そのような構造では、他のチャネルおよび／または通信方向、または他のデバイスまたはセルに対して送信がスケジュールされ得ることに留意されたい。
【００１３】
スケジュール送信は、特定のチャネル、特に物理アップリンク共有チャネル、物理アップリンク制御チャネル、または物理ダウンリンク共有チャネル、たとえばＰＵＳＣＨ、ＰＵＣＣＨまたはＰＤＳＣＨ、および／または、特定のセルおよび／またはキャリアアグリゲーションに関係し得る。対応する構成、たとえばスケジューリング構成またはシンボル構成は、そのようなチャネル、セル、および／またはキャリアアグリゲーションに関係し得る。
【００１４】
シンボル構成は、境界シンボルを示す構成、たとえば対応する構成データで表現または構成され得る。シンボル構成は、特に半永続的および／または半静的に、リソースを示すおよび／またはスケジュールし得るメッセージまたは構成または対応するデータに埋め込まれ、および／または含まれて得る。境界シンボルは、暗黙的または明示的に示され得る。境界シンボルは、例えば、構造参照シンボル、および／またはそれに基づいて境界シンボルを決定することができるオフセットまたはシフト（そのような参照シンボルに関連する場合がある）を示すことによって（例えば、例えば他の情報を活用し、例えば同じまたは別の構成で構成され、例えばダウンリンク制御情報として）示され得る。構造参照シンボルは、境界シンボル、たとえば、スケジュール送信または送信タイミング構造の開始シンボル、または制御領域の終了シンボル、であり得る。そのような構造参照シンボルは、（例えば、同期の基礎となる）送信タイミング構造のシンボルに関係し得る。
【００１５】
いくつかの変形形態では、シンボル構成は、制御シグナリング、特に無線リソース制御レイヤ制御シグナリングで構成され、および／または半永続的に構成され、および／または事前定義される。
【００１６】
スケジュール送信は、物理チャネル、特に共有される物理チャネル、たとえば、物理アップリンク共有チャネルまたは物理ダウンリンク共有チャネルでの送信を表すと見なされ得る。このようなチャネルでは、半永続的な構成が特に適し得る。
【００１７】
境界シンボルは、送信タイミング構造の構造参照シンボル、例えば送信タイミング構造の最初のシンボル、または送信タイミング構造内の制御領域のシンボルに関して決定され得る。
【００１８】
送信タイミング構造の制御領域は、制御シグナリング（特にダウンリンク制御シグナリング）、および／または特定の制御チャネル（例えば、ＰＤＣＣＨのような物理ダウンリンク制御チャネル）であり得る。間隔は、ＰＤＣＣＨまたはＲＲＣシグナリングまたはマルチキャストまたはブロードキャストチャネル上の、例えば（ＵＥ固有の）専用シグナリング（これは、たとえば特定のＵＥにアドレス指定された、または特定のＵＥ向けのシングルキャストであり得る）により構成されまたは構成可能な、時間におけるいくつかのシンボルを含みおよび／または構成され得る。一般に、送信タイミング構造は、構成可能な数のシンボルをカバーする制御領域を備え得る。一般に、境界シンボルは、時間において制御領域の後にあるように構成されていると考えられ得る。
【００１９】
送信タイミング構造のシンボルの持続時間は、一般にヌメロロジーおよび／またはキャリアに依存し得、ヌメロロジーおよび／またはキャリアは構成可能であり得る。ヌメロロジーは、スケジュール送信に使用されるヌメロロジーであり得る。
【００２０】
いくつかの変形形態では、シンボル構成は１つまたは複数のシンボルのセットを示し、境界シンボルはセットから選択可能である。境界シンボルは、制御シグナリング、特にＤＣＩシグナリングに基づいて選択可能であり得、セットのどのシンボルが境界シンボルとして使用されるかのインデックスまたはポイントを示し得る。一般に、境界シンボルは、そのような制御シグナリングに含まれるか、および／またはそれによって表されるダウンリンク制御情報に基づいてさらに決定され得る。
【００２１】
シンボル構成は、リソース構成の一部であるか、および／またはリソース構成で（例えばそのような構成と同じメッセージで）通知され得る。リソース構成は、複数の異なる送信および／または送信タイミング構造のために、特に半永続的にスケジュールされ得る、リソースおよび／または１つまたは複数のスケジュール送信をスケジュールする構成であり得る。
【００２２】
いくつかの変形形態では、シンボル構成および／または関連するリソース構成は、複数の送信タイミング構造（特に５以上、または７以上、または１０以上の送信タイミング構造（特定のスロット））の持続時間に対して有効である。
【００２３】
デバイスのスケジューリング、またはデバイスのためのスケジューリング、および／または関連する送信またはシグナリングは、リソースを有するデバイスの構成、および／または（通信での使用のための）デバイスのリソースへの指示を含む、またはその形態として見なし得る。スケジューリングは、特に、送信タイミング構造、またはそのサブ構造（たとえば、スロットのサブ構造と見なされ得るスロットまたはミニスロット）に関係し得る。例えば、基になるタイミンググリッドが送信タイミング構造に基づいて定義されている場合、サブ構造がスケジュールされている場合でも、送信タイミング構造に関連して境界シンボルが識別および／または決定され得ると考えられ得る。スケジューリングを示すシグナリングは、対応するスケジューリング情報を含み得、および／または、スケジュール送信を示すおよび／またはスケジューリング情報を含む構成データを表すまたは含むと見なされ得る。そのような構成データまたはシグナリングは、リソース構成またはスケジューリング構成と見なされ得る。そのような構成（特に単一のメッセージとして）は、場合によっては、他のシグナリング（例えば上位レイヤシグナリング）で設定された他の構成データなしでは完了しない場合があることに注意すべきである。特に、スケジュール設定された送信にどのシンボルが割り当てられているかを正確に識別するために、スケジュール設定／リソース設定に加えて、シンボル設定が提供され得る。スケジューリング（またはリソース）構成は、スケジューリング送信の送信タイミング構造および／またはリソース量（たとえば、シンボル数または時間長さ）を示し得る。
【００２４】
スケジュール送信は、例えばネットワークまたはネットワークノードによってスケジュールされた送信であり得る。このコンテキストでの送信は、アップリンク（ＵＬ）またはダウンリンク（ＤＬ）またはサイドリンク（ＳＬ）の送信であり得る。デバイス、例えばスケジュール送信がスケジュールされているユーザ装置は、したがって、スケジュール送信を（たとえば、ＤＬまたはＳＬで）受信するか（たとえば、ＵＬまたはＳＬで）送信するようにスケジュールされ得る。送信のスケジューリングは、特に、この送信用のリソースでスケジュールされたデバイスを構成すること、および／またはいくつかのリソースに対して送信が意図および／またはスケジュールされることをデバイスに通知することを含むと考えられ得る。送信は、時間間隔、特に連続する数のシンボルをカバーするようにスケジュールされ得、これは、開始シンボルと終了シンボルと（を含む）の間の時間の連続的な間隔を形成し得る。（たとえば、スケジュールされた）送信の開始シンボルと終了シンボルは、同じ送信タイミング構造（例えば同じスロット）内にあり得る。ただし、場合によっては、終了シンボルは開始シンボルよりも後の送信タイミング構造（特に時間において後続する構造）にあり得る。スケジュール送信には、例えば、多数のシンボルまたは関連する時間間隔で、持続時間が関連付けられおよび／または示され得る。いくつかの変形形態では、同じ送信タイミング構造内で異なる送信がスケジュールされ得る。スケジュール送信は、特定のチャネル（例えばＰＵＳＣＨやＰＤＳＣＨなどの共有チャネル）に関連付けられていると見なされ得る。
【００２５】
送信タイミング構造は、複数のシンボルを含み得、および／またはいくつかのシンボルを含む間隔（それぞれ関連する時間間隔）を定義し得る。本開示のコンテキストにおいて、当該コンテキストから周波数領域成分も考慮する必要があることが明確でない限り、参照を容易にするためのシンボルへの言及は、時間領域の投影または時間間隔または時間成分または持続時間またはシンボルの時間長を指すと解釈され得ることに留意すべきである。送信タイミング構造の例は、スロット、サブフレーム、ミニスロット（スロットの下位構造とも考えられる）、スロット集約（複数のスロットを含み、スロットの上位構造と考えられる）、それぞれの時間領域成分を含み得る。
【００２６】
境界シンボルは、一般に、時間におけるおよび／または送信タイミング構造内のスケジュール送信の境界を示し得る。送信タイミング構造は、複数のシンボルを含み得および／またはいくつかのシンボルを含む間隔（それぞれ関連する時間間隔）を定義し得る。コンテキストから周波数領域成分も考慮する必要があることが明確でない限り、シンボルへの言及は、シンボルの時間領域の投影または間隔または成分を指すと解釈され得る。境界シンボルは、通常、開始シンボルまたは終了シンボルである。開始シンボルは、対応する送信の（スケジュールされたおよび／または場合によっては実際の）最初のシンボル、および／または送信が開始されるシンボルであり得る。終了シンボルは、対応する送信の（スケジュールされたおよび／または場合によっては実際の）最後のシンボル、および／または送信が終了するシンボルであり得る。一般に、境界シンボルは、タイミング基準または別のシンボルによって決定および／または示され得、固定または既知の（たとえば、事前定義されたまたは構成された）関係を有し得、たとえば、送信の中心シンボルまたは固定または既知の（たとえば、事前定義されたまたは構成された）時間長（期間）を有する送信の別の境界シンボルである。期間は、シンボル時間間隔（またはシンボル時間長または持続時間）および／またはＳＩ単位などの時間単位で測定され得る。
【００２７】
送信タイミング構造は、一般に、当該送信タイミング構造の時間領域拡張（例えば、間隔または長さまたは持続時間）を定義し、番号付きシーケンスで互いに隣接して配置された、複数のシンボルを含み得る。タイミング構造（同期構造としても考慮または実装され得る）は、そのような送信タイミング構造の連続によって定義され得、例えば、最小のグリッド構造を表す複数のシンボルでタイミンググリッドを定義し得る。送信タイミング構造、および／または境界シンボル、またはスケジュール送信は、そのようなタイミンググリッドに関して決定またはスケジュールされ得る。受信の送信タイミング構造は、（タイミンググリッドに関連して）スケジューリング制御シグナリングが受信される送信タイミング構造であり得る。送信タイミング構造は、特にスロットまたはサブフレーム、または場合によってはミニスロットであり得る。本明細書で言及されるシンボルおよびタイミング構造は、ネットワーク機器の視点に対して時間的に（例えば、伝搬により）シフトされ得るユーザ装置によって見られるようなものであり得る。
【００２８】
境界シンボル、特に開始シンボルは、タイミング構造グリッドに関連して、および／またはスロットまたはミニスロットのようなスケジュール送信タイミング構造に関連して、および／または送信タイミング構造の最初または開始シンボル、および／または制御領域（特に制御領域の終わり）に関連して決定され得る。シンボル構成、またはリソース構成は、境界シンボルが関連して決定されるシンボルおよび／または構造および／またはグリッドを示し得、および／または、境界シンボルを識別するまたは示すために、対応するシンボルに関連するオフセットまたはシフトを（例えばシンボル数で）示し得る。いくつかの変形形態では、シンボル構成および／またはリソース構成は、スケジュール送信の時間または期間の長さを示し得、特定のチャネルの場合、シンボル数で長さを示し得る。したがって、１つの境界シンボルと示されたまたは構成された長さにより、スケジュール送信の時間延長が決定されたと見なされ得る。個別のスケジュール送信は、別のチャネルに関連付けられた中間シンボルを有さないまたは同じチャネルに関連付けられていない（たとえば、同じチャネルに関連付けられた）連続した数のシンボルをカバーするかまたはスケジュールされた送信であり得る。スケジュール送信は、周波数空間で１つまたは複数のサブキャリアまたはリソースブロックにわたって拡張し得、および／または同じ時間間隔で他のスケジュール送信と周波数で多重化され得ることに留意されたい。
【００２９】
また、処理回路に本明細書に記載の方法を制御および／または実行させる命令を含むプログラム製品についても説明する。
【００３０】
さらに、本明細書で説明されるようなプログラム製品を搬送および／または格納するキャリア媒体装置が考慮され得る。
【００３１】
本明細書で説明するアプローチは、境界シンボル（特にチャネル、例えばＰＵＳＣＨおよび／またはＰＤＳＣＨに対して）の半永続的構成を可能にする。これにより、オーバーヘッドの少ない柔軟なシグナリングが可能になる。ユーザ装置は、チャネルに関連付けられた正しい境界を使用して、そのようなチャネル上の通信を処理するように効率的に構成され得る。
【図面の簡単な説明】
【００３２】
図面は、本明細書で説明する概念およびアプローチを示すために提供されており、それらの範囲を限定することを意図したものではない。図面は以下を含む：
【００３３】
【図１】パラメータ値の動的および半静的な信号の組み合わせ、たとえばシンボル構成またはインジケーション、を概略的に示す。
【図２】例示的な端末またはユーザ装置を示す。
【図３】ネットワークノードのような例示的な無線ノードを示す。
【発明を実施するための形態】
【００３４】
例として、以下では特にＮＲ技術を参照する。ＮＲは、スロットの概念を使用してさまざまな送信およびタイミング関係を記述し、スロットは、送信タイミング構造の例と見なし得る。ＮＲスロットまたは関連する間隔は、７または１４個のＯＦＤＭシンボル（特に時間）を含むか、または構成され得る。さらに、ミニスロットの概念が合意された。ミニスロットはスロットよりも短く、スロット間隔内の任意のＯＦＤＭシンボルで開始され得る（送信タイミング構造内の任意のシンボルで開始）。したがって、スロット間隔に複数のミニスロットが存在し得、ＵＥは、同じスロット間隔内（同じ送信タイミング構造内）で複数のミニスロットで受信（または送信）するように指示され得る。
【００３５】
送信、たとえばデータ送信（特にユーザデータおよび／またはユーザプレーンデータを参照するデータ）をスケジュールするために、ダウンリンク制御情報（ＤＣＩ）がＰＤＣＣＨを使用してＵＥに送信され得る。ＵＥは、ＵＥに向けられたＰＤＣＣＨ送信（および／または他の制御情報）を監視し、見つかった場合、検出されたインジケーション（例えばＰＤＣＣＨで検出されたＤＣＩ）に従う。これは、動的にスケジュールされた送信、つまり、通常は各スロット間隔でネットワークがデータを送信および／または受信するようにＵＥをスケジュールする送信に使用される。
【００３６】
動的スケジューリングに加えて、半永続的スケジューリングも使用され得る。半永続的スケジューリングの利点は、スロットごとに定期的に繰り返されるスケジューリング機会を動的にスケジュールする必要がないため、ＤＣＩオーバヘッドを削減することである。いくつかの変形形態では、複数の（たとえば定期的なスケジュール送信で）最初の送信はＤＣＩを使用してスケジュールされ得、ＤＣＩの一部として、次の送信が半永続的に構成された周期に従うことがＵＥに示されるが、そうでない場合は変調方式、トランスポートブロックサイズなどの動的にシグナリングされるＤＣＩ情報を使用する。
【００３７】
特に、ＰＤＳＣＨでのダウンリンクデータ送信やＰＵＳＣＨでのアップリンクデータ送信などのスケジュール送信の場合、ＵＥは、データがどこから開始されるかを知る必要がある。例えば、ＤＬ割り当てと対応するＤＬデータ送信との間のタイミングがＤＣＩのフィールドによって値のセットから示されるように、ＰＤＣＣＨ上の動的シグナリングと半静的ＲＲＣシグナリングとの組み合わせが考慮され得る。値のセットは、境界シンボルのセットを表すか示し得る。同じことがＵＬデータ伝送にも当てはまり得る。これは、テーブルでの構成と考え得る。ＤＣＩ内のタイミング情報の動的部分は、ＰＵＳＣＨ ／ ＰＤＳＣＨの開始位置を取得するためのテーブル（セットを表す）へのインデックスとして使用され得る。このアプローチは図１に示される。
【００３８】
データ送信のタイミングは、いくつかの参照点、たとえばスロット間隔の開始またはＤＣＩの受信成功の時間、または別の基準（たとえば参照シンボル）に対して定義され得る。 シンボル構成は、一般に、そのような参照点を示し得、構造参照シンボルによって表され得る。
【００３９】
スロットのどこでミニスロットが発生するかに関係なく、同じ構造を使用し得るため、ＤＣＩに対してタイミングを定義することが推奨される。ただし、半永続的なスケジューリングでは、タイミング基準として使用するＰＤＣＣＨまたは対応するＤＣＩがない場合があり得る。
【００４０】
したがって、準静的構成シグナリングに、時間基準／構造基準シンボルに関する情報（たとえば、スロットの開始、またはＰＤＣＣＨ／関連制御領域の開始または終了）を含めることが提案されており、ＰＤＳＣＨ／ＰＵＳＣＨデータタイミング、特にＰＤＳＣＨ／ＰＵＳＣＨ送信の開始シンボルのような境界シンボルを決定するときに使用され得る。
【００４１】
したがって、ダウンリンク制御シグナリングのオーバーヘッドの削減と設計の簡素化が促進される。
【００４２】
ＲＲＣシグナリングを使用して半持続的スケジューリング（例えば、周期性を伴う）を構成する場合、タイミング基準に関する情報は、シンボル構成において、構成に含まれると考えられ得る。このタイミング基準（構造参照シンボルを示すと見なされ得る）は、データ送信（および／またはＰＵＳＣＨまたはＰＤＳＣＨなどの共有チャネルでの送信）が半永続的にスケジュールされた各スロットで開始するようにスケジュールされている場所を導出するために、半持続的スケジューリングをトリガーするＤＣＩのタイミング情報と組み合わせて使用され得る。あるいは、半永続的構成は、半永続的にスケジュールされた送信のデータ送信の開始位置に関する情報を直接含み得る。あるいは、構成された制御チャネル領域の後のシンボルで、半永続的なＤＬ送信が常に開始され得る。制御チャネル領域（および／またはその終了シンボル）の長さは準静的な構成であり得、または、ＵＥは、グループ共通ＰＤＣＣＨのような（例えば動的にスケジュールされた）グループ制御チャネル（たとえば、マルチキャストチャネル）からそれを決定する。あるいは、半永続的な送信では、ハードコードされた開始位置が仕様で固定され得、たとえば、（事前定義され得るように）構成可能な最長の制御領域の後に開始される。
【００４３】
代替的または追加的に、タイミングエントリのテーブルを構成する場合（たとえば図１を参照）、データの開始位置がＰＤＣＣＨ受信またはスロットの開始に関連するかどうかの情報で各エントリを構成し得る。このアプローチは、動的にスケジュールされたＰＤＳＣＨ／ＰＵＳＣＨ（ＤＣＩを使用）に使用され得るが、動的スケジューリングと半永続的スケジューリングが混在する場合にも使用され得る。たとえば、一部のＤＣＩ時間インデックスまたは表示は、ＤＣ（制御領域）を運ぶＰＤＣＣＨに対する開始位置を参照し得るが、他のＤＣＩ時間インデックスまたは表示は、スロット間隔／送信タイミング構造に対する開始位置を指し得る。それらが参照するものは、たとえばシンボル構成で構成され得る。
【００４４】
動的な構成またはスケジューリングは、一般に、ダウンリンク制御情報および／または物理レイヤシグナリングを使用して、および／または１つまたはいくつか（たとえば、１１未満または１０未満または５未満または４未満）の送信タイミング構造、特にスロット、に関連するまたは有効な情報を使用して、構成することを指し得る。
【００４５】
図２は、特にＵＥ（ユーザ装置）として実施され得る無線ノード（特に端末または無線デバイス１０）を概略的に示している。無線ノード１０は、メモリに接続されたコントローラを備え得る処理回路（制御回路とも呼ばれ得る）２０を備える。無線ノード１０の任意のモジュール（例えば通信モジュールまたは決定モジュール）は、特にコントローラ内のモジュールとして、処理回路２０内に実装されおよび／または処理回路２０により実行可能であり得る。無線ノード１０は、受信および送信または送受信機能（例えば、１つまたは複数の送信機および／または受信機および／または送受信機）を提供する無線回路２２も備え、無線回路２２は処理回路に接続されまたは接続可能である。無線ノード１０のアンテナ回路２４は、信号を収集または送信および／または増幅するために無線回路２２に接続されまたは接続可能である。無線回路２２およびそれを制御する処理回路２０は、ネットワーク（たとえば本明細書で説明するＲＡＮ）とのセルラー通信のため、および／またはサイドリンク通信のために構成される。無線ノード１０は、一般に、本明細書で開示される端末またはＵＥのような無線ノードを動作させる方法のいずれかを実行するように適合され得；特に、それは、対応する回路、例えば処理回路、および／またはモジュールを備え得る。
【００４６】
図３は、無線ノード１００を概略的に示しており、無線ノード１００は、特に、ネットワークノード１００、例えばｅＮＢまたはｇＮＢまたはＮＲ用の同様のものとして実装され得る。無線ノード１００は、メモリに接続されたコントローラを備え得る処理回路（制御回路とも呼ばれ得る）１２０を備える。ノード１００の任意のモジュール（例えば、送信モジュールおよび／または受信モジュールおよび／または構成モジュール）は、処理回路１２０に実装されおよび／または処理回路１２０によって実行可能であり得る。処理回路１２０は、ノード１００の制御無線回路１２２に接続され、受信機および送信機および／または送受信機機能（例えば、１つまたは複数の送信機および／または受信機および／または送受信機を含む）を提供する。アンテナ回路１２４は、信号の受信または送信および／または増幅のための無線回路１２２に接続されまたは接続可能であり得る。ノード１００は、本明細書に開示される無線ノードまたはネットワークノードを動作させる方法のいずれかを実行するように適合され得；特に、それは、対応する回路、例えば処理回路、および／またはモジュールを備え得る。アンテナ回路１２４は、アンテナアレイに接続されおよび／またはアンテナアレイを備え得る。ノード１００、またはその回路は、本明細書で説明するネットワークノードまたは無線ノードを動作させる方法のいずれかを実行するように適合させられ得る。
【００４７】
送信タイミング構造および／またはシンボルおよび／またはスロットおよび／またはミニスロットおよび／またはサブキャリアおよび／またはキャリアなどの特定のリソース構造への参照は、事前定義されおよび／または構成されまたは構成可能な特定のヌメロロジーに関係し得る。送信タイミング構造は、１つまたは複数のシンボルをカバーする時間間隔を表し得る。送信タイミング構造のいくつかの例は、サブフレーム、スロットおよびミニスロットである。スロットは、所定の（たとえば事前定義されおよび／または構成されまたは構成可能な）個数（例えば６または７、または１２または１４など）のシンボルを含み得る。ミニスロットは、スロットのシンボルの数（特に１，２，３または４個のシンボル）よりも少ない数（特に構成可能または構成された）のシンボルを含み得る。送信タイミング構造は、特定の長さの時間間隔をカバーし得、これは使用されるシンボル時間長および／またはサイクリックプレフィックスに依存し得る。送信タイミング構造は、例えば、通信のために同期された、時間ストリーム内の特定の時間間隔に関係し、および／またはそれをカバーし得る。スロットおよび／またはミニスロットなどの送信に使用および／またはスケジュールされるタイミング構造は、他の送信タイミング構造によって提供および／または定義されるタイミング構造に関連して、および／または同期され得る。そのような送信タイミング構造は、例えば最小のタイミング単位を表す個々の構造内のシンボル時間間隔でタイミンググリッドを定義し得る。そのようなタイミンググリッドは、たとえば、スロットまたはサブフレームによって定義され得る（場合によっては、サブフレームはスロットの特定の変形形態とみなされ得る）。送信タイミング構造は、おそらく使用されるサイクリックプレフィックスに加えて、そのシンボルの持続時間に基づいて決定される持続時間（時間の長さ）を有し得る。送信タイミング構造のシンボルは同じ持続時間を有し得、またはいくつかの変形形態では異なる持続時間を有し得る。送信タイミング構造内のシンボルの数は、事前定義されおよび／または構成されまたは構成可能であり、および／またはヌメロロジーに依存し得る。
【００４８】
特に、処理および／または制御回路で実行される場合、処理および／または制御回路に本明細書に記載の方法を実行および／または制御させる命令を含むプログラム製品が一般に考えられる。また、本明細書で説明されるようなプログラム製品を搬送および／または格納するキャリア媒体装置も考えられる。
【００４９】
キャリア媒体装置は、１つまたは複数のキャリア媒体を含み得る。一般に、キャリア媒体は、処理または制御回路によってアクセス可能および／または読み取り可能および／または受信可能であり得る。データおよび／またはプログラム製品および／またはコードを保存することは、データおよび／またはプログラム製品および／またはコードを搬送することの一部とみなされ得る。キャリア媒体は、一般に、ガイド／輸送媒体および／または記憶媒体を含むことができる。ガイド／輸送媒体は、信号、特に電磁信号および／または電気信号および／または磁気信号および／または光信号を搬送および／または搬送および／または記憶するように適合され得る。搬送媒体、特にガイド／輸送媒体は、そのような信号をガイドしてそれらを搬送するように適合され得る。搬送媒体、特にガイド／輸送媒体は、電磁場（例えば電波またはマイクロ波）および／または光透過性材料（例えばグラスファイバおよび／またはケーブル）を含み得る。記憶媒体は、バッファ、キャッシュ、光ディスク、磁気メモリ、フラッシュメモリなどのうちの少なくとも１つの揮発性または不揮発性であり得るメモリを含み得る。
【００５０】
一般に、ヌメロロジーおよび／またはサブキャリア間隔は、キャリアのサブキャリアの帯域幅（周波数領域）、および／またはキャリア内のサブキャリアの数および／またはキャリア内のサブキャリアの番号付けを示し得る。異なるヌメロロジーは、特にサブキャリアの帯域幅が異なり得る。いくつかの変形形態では、キャリア内のすべてのサブキャリアに同じ帯域幅が関連付けられる。ヌメロロジーおよび／またはサブキャリア間隔は、特にサブキャリア帯域幅に関してキャリア間で異なり得る。シンボル時間の長さ、および／またはキャリアに関係するタイミング構造の時間長は、キャリア周波数および／またはサブキャリア間隔および／またはヌメロロジーに依存し得る。特に、異なるヌメロロジーは異なるシンボル時間の長さを有し得る。
【００５１】
シグナリングは一般に、１つまたは複数のシンボルおよび／または信号および／またはメッセージを含み得る。信号は１つまたは複数のビットで構成され得る。インジケーションは、シグナリングを表し得、および／または信号としてまたは複数の信号として実装され得る。１つまたは複数の信号がメッセージに含まれおよび／またはメッセージによって表され得る。シグナリング、特に制御シグナリングは、複数の信号および／またはメッセージを含み得、これらは異なるキャリアで送信されおよび／または異なるシグナリングプロセスに関連付けられ得る（例えば、１つまたは複数のそのようなプロセスおよび／または対応する情報を表すおよび／または関係し得る）。インジケーションは、シグナリングおよび／または複数の信号および／またはメッセージを含み得および／またはその中に含まれ得、異なるキャリアで送信され、および／または異なる確認応答シグナリングプロセスに関連付けられ得る（例えば、１つまたは複数のそのようなプロセスを表すおよび／または関係し得る）。
【００５２】
アップリンクまたはサイドリンクシグナリングは、ＯＦＤＭＡ（直交周波数分割多元接続）またはＳＣ−ＦＤＭＡ（シングルキャリア周波数分割多元接続）シグナリングであり得る。ダウンリンクシグナリングは、特にＯＦＤＭＡシグナリングであり得る。ただし、シグナリングはそれらに限定されない（フィルタバンクベースのシグナリングは１つの代替として見なされ得る）。
【００５３】
制御情報または制御シグナリングのさまざまなフォーマット（例えば、物理アップリンク制御チャネル（ＰＵＣＣＨ）などの制御チャネルのさまざまなフォーマット）が考慮され得る。ＰＵＣＣＨは、制御情報または対応する制御シグナリングを搬送し得、例えば、アップリンク制御情報（ＵＣＩ）は、ＨＡＲＱフィードバック（ＡＣＫ／ＮＡＣＫ）などの確認応答シグナリングおよび／またはチャネル品質情報（ＣＱＩ）および／またはスケジューリング要求（ＳＲ）を含み得る。サポートされているＰＵＣＣＨフォーマットの１つは短くあり得、スロット間隔の終わりに発生し得る。同様の制御情報が、特に（Ｐ）ＳＣＣＨなどの（物理）サイドリンク制御チャネル上のサイドリンクで（例えば、サイドリンク制御情報（ＳＣＩ）として）提供され得る。
【００５４】
無線ノードは、一般に、無線および／または電波（および／またはマイクロ波）周波数通信、および／または、（例えば通信標準に従った）エアインターフェースを利用する通信に適合されたデバイスまたはノードと見なされ得る。
【００５５】
無線ノードは、ネットワークノード、またはユーザ装置または端末であり得る。ネットワークノードは、無線通信ネットワークの任意の無線ノード、たとえば基地局および／またはｇノードＢ（ｇＮＢ）および／またはｅノードＢ（ｅＮＢ）および／または中継ノードおよび／またはマイクロ／ナノ／ピコ／フェムトノード、または、特に本明細書で説明されるＲＡＮのための他のノードであり得る。
【００５６】
無線デバイス、ユーザ装置（ＵＥ）、および端末という用語は、本開示の文脈において交換可能であると見なされ得る。無線デバイス、ユーザ装置、または端末は、無線通信ネットワークを利用した通信のエンドデバイスを表し得、および／または標準に従ってユーザ装置として実装され得る。ユーザ装置の例には、スマートフォン、パーソナル通信デバイス、携帯電話または端末、コンピューター、特にラップトップ、無線機能を備えた（および／またはエアインターフェースに適合した）センサーまたはマシン、特にＭＴＣ（マシンタイプ通信、Ｍ２Ｍ、マシンツーマシンとも呼ばれる）、または無線通信に適合した車両が含まれ得る。 ユーザ装置または端末は、モバイルまたは固定であり得る。
【００５７】
無線ノードは一般に、処理回路および／または無線回路を含み得る。回路は、集積回路を含み得る。処理回路は、１つ以上のプロセッサおよび／またはコントローラ（例えば、マイクロコントローラ）、および／またはＡＳＩＣ（特定用途向け集積回路）および／またはＦＰＧＡ（フィールドプログラマブルゲートアレイ）、または同様のものを備え得る。処理回路は、１つ以上のメモリまたはメモリ装置を備え、および／または（動作可能に）接続または接続可能であると考えられ得る。メモリ装置は、１つ以上のメモリを備え得る。メモリは、デジタル情報を格納するように適合させられ得る。メモリの例には、揮発性および不揮発性メモリ、および／またはランダムアクセスメモリ（ＲＡＭ）、および/または読み取り専用メモリ（ＲＯＭ）、および／または磁気および／または光学メモリ、および／またはフラッシュメモリ、および／またはハードディスクメモリ、および／またはＥＰＲＯＭまたはＥＥＰＲＯＭ（消去可能プログラマブルＲＯＭまたは電気的消去可能プログラマブルＲＯＭ）が含まれる。無線回路は、１つまたは複数の送信機および／または受信機および／または送受信機（送受信機は、送信機および受信機として動作または動作可能であり得、および／または、例えば１つのパッケージまたはハウジングで受信および送信するための接続されたまたは分離された回路を含み得る）を含み得、および／または１つまたは複数の増幅器および／または発振器および／またはフィルタを含み得、および／またはアンテナ回路および／または１つまたは複数のアンテナを含みおよび／または接続されまたは接続可能であり得る。
【００５８】
本明細書で開示されるモジュールのいずれか１つまたはすべては、ソフトウェアおよび／またはファームウェアおよび／またはハードウェアで実装され得る。無線ノードの異なるコンポーネントに異なるモジュール（例えば、異なる回路または回路の異なる部分）が関連付けられ得る。モジュールは、さまざまなコンポーネントや回路に分散していると考えられ得る。本明細書で説明されるプログラム製品は、プログラム製品が実行されることが意図されるデバイス（例えば、関連する回路で実行が実行される）に関連するモジュールを含み得る。
【００５９】
無線アクセスネットワークは、特に通信標準に従って、無線通信ネットワーク、および／または無線アクセスネットワーク（ＲＡＮ）であり得る。通信標準は、特に３ＧＰＰおよび／または５Ｇに（たとえばＮＲまたはＬＴＥ、特にＬＴＥエボリューションに）従う標準であり得る。
【００６０】
無線通信ネットワークは、コアネットワークに接続または接続可能な任意の種類のセルラーおよび／または無線無線ネットワークであるおよび／または含む無線アクセスネットワーク（ＲＡＮ）であり、および／またはそれを含み得る。本明細書で説明するアプローチは、５Ｇネットワーク（例えば、ＬＴＥエボリューションおよび／またはＮＲ（ニューラジオ）それぞれの後継）に特に適している。ＲＡＮは、１つまたは複数のネットワークノードを含み得る。ネットワークノードは、特に、１つまたは複数の端末との電波および／または無線および／またはセルラー通信に適合した無線ノードであり得る。端末は、ＲＡＮとのまたはＲＡＮ内の電波および／または無線および／またはセルラー通信に適合した任意のデバイス（例えば、ユーザ装置（ＵＥ）または携帯電話またはスマートフォンまたはコンピューティングデバイスまたは車両通信デバイスまたはマシン型通信（ＭＴＣ）のためのデバイス）であり得る。端末はモバイル、または場合によっては固定され得る。
【００６１】
ダウンリンクでの送信は、ネットワークまたはネットワークノードから端末への送信に関係し得る。アップリンクでの送信は、端末からネットワークまたはネットワークノードへの送信に関係し得る。サイドリンクでの送信は、端末から別の端末への（直接）送信に関係し得る。アップリンク、ダウンリンク、およびサイドリンク（たとえば、サイドリンクの送信と受信）は、通信方向と見なされ得る。
【００６２】
シグナリングは一般に、１つまたは複数の信号および／または１つまたは複数のシンボルを含み得る。制御情報、制御情報メッセージ、または対応するシグナリング（制御シグナリング）は、制御チャネル（例えば、ダウンリンクチャネル（または場合によっては、たとえば１つのＵＥが別のＵＥをスケジューリングするサイドリンクチャネル）である物理制御チャネル）で送信され得る。例えば、制御情報／割り当て情報は、ＰＤＣＣＨ（物理ダウンリンク制御チャネル）および／またはＰＤＳＣＨ（物理ダウンリンク共有チャネル）および／またはＨＡＲＱ固有のチャネル上のネットワークノードによってシグナリングされ得る。（例えば、アップリンク制御情報の形式としての）確認応答シグナリングは、ＰＵＣＣＨ（物理アップリンク制御チャネル）および／またはＰＵＳＣＨ（物理アップリンク共有チャネル）および／またはＨＡＲＱ固有のチャネルで端末によって送信され得る。複数のチャネルが、マルチコンポーネント／マルチキャリアのインジケーションまたはシグナリングに適用され得る。
【００６３】
送信信号、特に制御信号、例えば確認応答シグナリングおよび／または情報を要求するリソースを含むまたは表すことは、符号化および／または変調を含み得る。符号化および／または変調は、誤り検出符号化および／または順方向誤り訂正符号化および／またはスクランブリングを含み得る。制御シグナリングの受信は、対応する復号化および／または復調を含み得る。
【００６４】
インジケーションは一般に、それが表すおよび／または示す情報を明示的および／または暗黙的に示し得る。暗黙的なインジケーションは、例えば、送信に使用される位置および／またはリソースに基づき得る。明示的なインジケーションは、例えば、１つまたは複数のパラメータおよび／または１つまたは複数のインデックスおよび／または情報を表す１つまたは複数のビットパターンを伴うパラメータ化に基づき得る。特に、本明細書で説明される制御シグナリングは、利用されるリソースシーケンスに基づいて、暗黙的に制御シグナリングタイプを示すと考えられ得る。
【００６５】
リソース要素は一般に、個別に使用可能および／または符号化可能および／または復号化可能および／または変調可能および／または復調可能な最小の時間周波数リソースを記述し得、および／または時間で１つのシンボル時間長周波数で１つのサブキャリアをカバーする時間周波数リソースを記述し得る。信号は、リソース要素に割り当て可能であるか割り当てられ得る。サブキャリアは、たとえば標準で定義されているようなキャリアのサブバンドであり得る。キャリアは、送信および／または受信のための周波数および／または周波数帯域を定義し得る。いくつかの変形形態では、（共同で符号化／変調される）信号が複数のリソース要素をカバーし得る。リソース要素は一般に、対応する標準（例えば、ＮＲまたはＬＴＥ）により定義され得る。シンボル時間長および／またはサブキャリア間隔（および／またはヌメロロジー）は異なるシンボルおよび／またはサブキャリア間で異なり得るため、異なるリソース要素は時間および／または周波数領域での異なる拡張（長さ／幅）（特にさまざまなキャリアに関係する複数のリソース要素）を有し得る。
【００６６】
リソースは一般に、時間周波数および／またはコードリソースを表し得、その上でシグナリングが（例えば、特定のフォーマットに従って）通信され（例えば、送信および／または受信されおよび／または送信および／または受信が意図され）得る。
【００６７】
境界シンボルは、一般に、送信の開始シンボルまたは受信の終了シンボルを表し得る。開始シンボルは、特に、制御信号またはデータ信号などのアップリンクまたはサイドリンク信号の開始シンボルであり得る。このようなシグナリングは、データチャネルまたは制御チャネル（たとえば、物理チャネル、特に物理アップリンク共有チャネル（ＰＵＳＣＨなど）またはサイドリンクのデータまたは共有チャネル、または物理アップリンク制御チャネル（ＰＵＣＣＨなど）またはサイドリンクの制御チャネル）上であり得る。開始シンボルが制御シグナリング（たとえば、制御チャネル上）に関連付けられている場合、制御シグナリングは、受信したシグナリング（サイドリンクまたはダウンリンク）に応じて、たとえば関連付けられた確認応答シグナリングを表し得、これは、ＨＡＲＱまたはＡＲＱシグナリングであり得る。終了シンボルは、ダウンリンクまたはサイドリンクの送信またはシグナリングの（時間での）終了シンボルを表し得、無線ノードまたはユーザ装置向けに意図またはスケジュールされ得る。そのようなダウンリンクシグナリングは、特に（例えば、共有チャネル（ＰＤＳＣＨ（物理ダウンリンク共有チャネル）など）のような物理ダウンリンクチャネル上）のデータシグナリングであり得る。開始シンボルは、そのような終了シンボルに基づいておよび／またはそれに関連して決定され得る。
【００６８】
無線ノード（特に端末またはユーザ装置）を構成することは、構成に従って無線ノードが動作するように適合されるまたはさせるまたは設定されることを指し得る。構成は、別のデバイス、たとえばネットワークノード（たとえば、基地局やｅＮｏｄｅＢなどのネットワークの無線ノード）またはネットワークによって実行され得、その場合、構成されることになる無線ノードに構成データを送信し得る。そのような構成データは、構成されることになる構成を表し得、および／または構成（例えば、割り当てられたリソース、特に周波数リソースで送信および／または受信するための構成）に関係する１つまたは複数の命令を含み得る。無線ノードは、たとえば、ネットワークまたはネットワークノードから受信した構成データに基づいて自身を構成し得る。ネットワークノードは、構成のために自身の回路を利用しおよび／または利用するように適合され得る。割り当て情報は、構成データの形式と見なされ得る。
【００６９】
一般に、構成することは、構成を表す構成データを決定し、それを、無線ノード（無線デバイスに到達するまで繰り返され得る別のノード）にさらに送信し得る１つまたは複数の他のノードに（並列および／または順次に）提供することを含み得る。あるいは（またはさらに）、例えばネットワークノードまたは他のデバイスにより無線ノードを構成することは、構成データおよび／または構成データに関連するデータを、たとえば、ネットワークの上位ノードであり得るネットワークノードのような別のノードから受信すること、および／または、受信した構成データを無線ノードに送信すること、を含み得る。したがって、構成を決定し、構成データを無線ノードに送信することは、適切なインターフェース（例えば、ＬＴＥの場合のＸ２インターフェースまたはＮＲのための対応するインターフェース）を介して通信し得る、異なるネットワークノードまたはエンティティによって実行され得る。端末を構成することは、端末のダウンリンクおよび／またはアップリンク送信（ダウンリンクデータおよび／またはダウンリンク制御シグナリングおよび／またはＤＣＩおよび／またはアップリンクシグナリング（特に確認応答シグナリング））をスケジュールすること、および／または、リソースおよび／またはそのためのリソースプールを構成すること、を含み得る。
【００７０】
キャリアは、一般に、周波数範囲または帯域を表し得、および／または中心周波数および関連する周波数間隔に関係し得る。キャリアは複数のサブキャリアを含むと考えられ得る。キャリアは、中心周波数または中心周波数間隔が割り当てられ得る（例えば、１つまたは複数のサブキャリアにより表され、各サブキャリアには一般に周波数帯域幅または間隔が割り当てられ得る）。異なるキャリアは、非オーバラップであり得、および／または周波数領域で隣接し得る。
【００７１】
本開示における用語「電波（radio）」は、一般に無線通信に関係すると見なされ得、マイクロ波および／またはミリメートルおよび／または他の周波数（特に１００ＭＨｚまたは１ＧＨｚと１００ＧＨｚまたは２０または１０ＧＨｚとの間）を利用する無線通信も含み得ることに留意されたい。そのような通信は、１つまたは複数のキャリアを利用し得る。
【００７２】
無線ノード（特にネットワークノードまたは端末）は、一般に、特に少なくとも１つのキャリア上で無線および／または無線信号および／またはデータ（特に通信データ）を送信および／または受信するように適合された任意のデバイスであり得る。少なくとも１つのキャリアは、ＬＢＴ手順に基づいてアクセスされるキャリア（ＬＢＴキャリアと呼ばれ得る）、例えばアンライセンスキャリアを含み得る。キャリアはキャリア集合体の一部であると考えられ得る。
【００７３】
セルまたはキャリア上での受信または送信は、セルまたはキャリアに関連付けられた周波数（帯域）またはスペクトルを利用した受信または送信を指し得る。セルは一般に、１つまたは複数のキャリア、特にＵＬ通信／送信のための少なくとも１つのキャリア（ＵＬキャリアと呼ばれる）およびＤＬ通信／送信のための少なくとも１つのキャリア（ＤＬキャリアと呼ばれる）を含み得、および／または定義され得る。セルは、異なる数のＵＬキャリアとＤＬキャリアで構成されていると考えられ得る。あるいは（またはさらに）、セルは、例えばＴＤＤベースのアプローチにおいて、ＵＬ通信／送信およびＤＬ通信／送信のための少なくとも１つのキャリアを含み得る。
【００７４】
通常、チャネルは、論理チャネル、転送チャネル、または物理チャネルである。チャネルは、１つまたは複数のキャリア（特に複数のサブキャリア）を含み得、および／またはその上に配置され得る。制御シグナリング／制御情報を搬送するおよび／または搬送するためのチャネルは、特に物理レイヤチャネルである場合、制御チャネルと見なされ得る。
【００７５】
一般に、シンボルは、シンボル時間長を表すおよび／または関連付けられ得、これは、キャリアおよび／またはサブキャリアの間隔および／または関連するキャリアのヌメロロジーに依存し得る。したがって、シンボルは、周波数領域に関してシンボル時間長を有する時間間隔を示すと見なされ得る。シンボル時間長は、キャリア周波数および／または帯域幅および／またはヌメロロジーおよび／またはシンボルのまたは関連付けられたサブキャリア間隔に依存し得る。したがって、異なるシンボルは異なるシンボル時間長を有し得る。
【００７６】
サイドリンクは一般に、２つのＵＥおよび／または端末間の通信チャネル（またはチャネル構造）を表し得、データは通信チャネルを介して（例えば、直接および／またはネットワークノード経由で中継されることなく）参加者（ＵＥおよび／または端末）間で送信される。サイドリンクは、サイドリンク通信チャネルを介して直接リンクされる参加者のエアインターフェースを介してのみおよび／または直接確立され得る。いくつかの変形形態では、サイドリンク通信は、ネットワークノードによる相互作用なしで（例えば、固定的に定義されたリソースおよび／または参加者間で交渉されたリソース）サイドリンク通信を実行され得る。代替的または追加的に、ネットワークノードは、サイドリンク通信のためのリソース（特に１つまたは複数のリソースプール）を構成することによりおよび／またはサイドリンクを（例えば課金目的で）監視するために、何らかの制御機能を提供すると考えられ得る。
【００７７】
サイドリンク通信は、デバイス間（Ｄ２Ｄ）通信、および／または場合によってはＬＴＥのコンテキストでＰｒｏＳｅ（近接サービス）通信とも呼ばれ得る。サイドリンクは、Ｖ２ｘ通信（車両通信）のコンテキスト（例えばＶ２Ｖ（車両から車両）、Ｖ２Ｉ（車両からインフラストラクチャ）および／またはＶ２Ｐ（車両から個人））で実装され得る。サイドリンク通信に適したデバイスは、ユーザ装置または端末と見なされ得る。
【００７８】
サイドリンク通信チャネル（または構造）は、１つまたは複数の（たとえば、物理または論理）チャネル、たとえばＰＳＣＣＨ（例えば、確認応答位置インジケーションのような制御情報を搬送し得る物理サイドリンク制御チャネル）、および／またはＰＳＳＣＨ（例えば、データおよび／または確認応答シグナリングを搬送し得る物理サイドリンク共有チャネル）、を含み得る。サイドリンク通信チャネル（または構造）は、セルラー通信に関連する、および／またはセルラー通信によって使用されている１つまたは複数のキャリアおよび／または周波数範囲に関係し、および／または（例えば、特定のライセンスおよび／または標準に従って）使用されると考えられ得る。参加者は、サイドリンクの（物理）チャネルおよび／またはリソース（特に周波数ドメインでのおよび／またはキャリアのような周波数リソースに関連する）を、２人以上の参加者がその上で（例えば同時におよび／またはタイムシフトで）送信するように、共有し得、および／または、たとえば１人の参加者のみが特定のチャネルまたは特定のリソース（例えば、周波数ドメインでのおよび／または１つまたは複数のキャリアまたはサブキャリアに関連する）で送信するように、特定の参加者に特定のチャネルおよび／またはリソースが関連付けられ得る。
【００７９】
サイドリンクは、特定の標準（例えば、ＬＴＥベースの標準および／またはＮＲ）準拠するおよび／または従って実装され得る。サイドリンクは、ＴＤＤ（時分割複信）および／またはＦＤＤ（周波数分割複信）技術を利用し得、例えばネットワークノードによって構成されているおよび／または参加者間で事前構成および／またはネゴシエートされる。ユーザ装置は、自身および／または自身の無線回路および／または処理回路が特に特定の標準に従って１つまたは複数の周波数範囲および／またはキャリア上および／または１つまたは複数のフォーマットでサイドリンクを利用するように適合されている場合、サイドリンク通信に適合していると見なされ得る。一般に、無線アクセスネットワークはサイドリンク通信の２人の参加者によって定義されると考えられ得る。代替的または追加的に、無線アクセスネットワークは、ネットワークノードおよび／またはそのようなノードとの通信で表され、および／または定義され、および／またはそれらに関連付けられ得る。
【００８０】
通信または通信することは一般に、シグナリングの送信および／または受信を含み得る。サイドリンクでの通信（またはサイドリンクシグナリング）は、（それぞれ、シグナリングのための）通信にサイドリンクを利用することを含み得る。サイドリンク送信および／またはサイドリンクでの送信は、サイドリンクを利用する送信、たとえば関連するリソースおよび／または送信フォーマットおよび／または回路および／またはエアインターフェースを含むと見なされ得る。サイドリンク受信および／またはサイドリンクでの受信は、サイドリンクを利用する受信、たとえば関連するリソースおよび／または送信フォーマットおよび／または回路および／またはエアインターフェースを含むと見なされ得る。サイドリンク制御情報（たとえば、ＳＣＩ）は、一般に、サイドリンクを利用して送信される制御情報を含むと見なされ得る。
【００８１】
一般に、キャリアアグリゲーション（ＣＡ）は、キャリアの集合体と同様に、無線および／またはセルラー通信ネットワークおよび／またはネットワークノードと端末の間、または、少なくとも１方向（たとえば、ＤＬおよび／またはＵＬ）のための複数のキャリアを含むサイドリンク上の無線接続および／または通信リンクの概念を参照し得る。対応する通信リンクは、キャリア集約された通信リンクまたはＣＡ通信リンクと呼ばれ得、キャリア集合体内のキャリアは、コンポーネントキャリア（ＣＣ）と呼ばれ得る。そのようなリンクでは、データは、キャリアアグリゲーション（キャリアの集合体）の複数のキャリアおよび／またはすべてのキャリアを介して送信され得る。キャリアアグリゲーションは、制御情報が送信され得る１つ（または複数）の専用制御キャリアおよび／またはプライマリキャリア（たとえば、プライマリコンポーネントキャリアまたはＰＣＣと呼ばれる）を含み得、制御情報は、プライマリキャリア、およびセカンダリキャリア（またはセカンダリコンポーネントキャリア、ＳＣＣ）と呼ばれ得る他のキャリアを参照し得る。ただし、いくつかのアプローチでは、制御情報は、集合体の複数のキャリア（たとえば、１つまたは複数のＰＣＣと、１つのＰＣＣおよび１つまたは複数のＳＣＣ）を介して送信され得る。
【００８２】
送信は一般に、特に時間内の開始シンボルと終了シンボルの間の間隔をカバーする特定のチャネルおよび／または特定のリソースに関係し得る。スケジュール送信は、スケジュールされたおよび／または予想されたおよび／またはリソースがスケジュールまたは提供または予約される送信であり得る。ただし、すべてのスケジュール送信を実現する必要はない。例えば、スケジュールされたダウンリンク送信は受信されないかもしれないし、スケジュールされたアップリンク送信は電力制限または他の影響（例えば、アンライセンスキャリア上のチャネルが占有されている）のため送信されないかもしれない。送信は、スロットのような送信タイミング構造内の送信タイミングサブ構造（例えば、ミニスロットおよび／または送信タイミング構造の一部のみをカバーする）に対してスケジュールされ得る。境界シンボルは、送信が開始または終了する送信タイミング構造内のシンボルを示し得る。
【００８３】
本開示の文脈で事前に定義されたものは、例えば標準で定義された、および／またはネットワークまたはネットワークノードからの特定の構成なしで利用可能な関連情報（例えば構成されていないメモリに保存された関連情報）を指し得る。構成済みまたは構成可能は、たとえばネットワークまたはネットワークノードによって設定／構成されている対応する情報に関連すると見なし得る。
【００８４】
本開示では、限定ではなく説明の目的で、本明細書に提示される技術の完全な理解を提供するために、特定の詳細（特定のネットワーク機能、プロセス、およびシグナリングステップなど）が示される。本発明の概念および態様が、他の変形形態およびこれらの特定の詳細から逸脱する変形形態で実施され得ることは、当業者には明らかであろう。
【００８５】
たとえば、概念と変形形態は、ロングタームエボリューション（ＬＴＥ）、ＬＴＥアドバンスド（ＬＴＥ−Ａ）、またはニューラジオのモバイルまたは無線通信技術のコンテキストで部分的に説明され；しかしながら、これは、モバイル通信のためのグローバルシステム（ＧＳＭ（登録商標））などの追加または代替のモバイル通信技術に関連する本発明の概念および側面の使用を除外するものではない。以下の変形形態は、第３世代パートナーシッププロジェクト（３ＧＰＰ）の特定の技術仕様（ＴＳ）に関して部分的に説明されているが、本発明の概念と側面は、異なるパフォーマンス管理（ＰＭ）仕様に関しても実現され得ることが理解されるであろう。
【００８６】
さらに、当業者は、本明細書で説明するサービス、機能、およびステップは、プログラムされたマイクロプロセッサと連携して機能するソフトウェアを使用して、または、特定用途向け集積回路（ＡＳＩＣ）、デジタル信号プロセッサ（ＤＳＰ）、フィールドプログラマブルゲートアレイ（ＦＰＧＡ）または汎用コンピューターを使用して、実施し得ることを理解するであろう。また、本明細書に記載の変形形態は方法およびデバイスの文脈で説明されるが、本明細書に提示される概念および態様は、プログラム製品、ならびに制御回路を含むシステム（例えばコンピュータプロセッサおよびプロセッサに結合されたメモリであり、ここでメモリは、本明細書で開示されるサービス、機能、およびステップを実行する１つまたは複数のプログラムまたはプログラム製品で符号化さている）で具現され得ることは理解されるであろう。
【００８７】
本明細書に提示される態様および変形形態の利点は、前述の説明から完全に理解されると考えられ、本明細書に記載された概念および態様の範囲から逸脱することなく、またはその有利な効果のすべてを犠牲にすることなく、その例示的な態様の形態、構造、および配置に様々な変更を加えることができることは明らかであろう。本明細書で提示される態様は、多くの方法で変化させることができる。
【００８８】
いくつかの便利な略語は以下を含む：
【００８９】
略語の説明
ＡＣＫ  肯定応答
ＡＲＩ  ＡＣＫ／ＮＡＣＫリソースインジケータ
ＣＣＥ  制御チャネル要素
ＤＣＩ  ダウンリンク制御情報
ＤＬ  ダウンリンク
ＤＴＸ  不連続送信
ＨＡＲＱ  ハイブリッド自動再送要求
ＭＩＭＯ  多入力多出力
ＮＡＣＫ  否定応答
ＯＦＤＭ  直交周波数分割多重
ＰＡＰＲ  ピーク対平均電力比
ＰＤＣＣＨ  物理ダウンリンク制御チャネル
ＰＤＳＣＨ  物理ダウンリンク共有チャネル
ＰＵＣＣＨ  物理アップリンク制御チャネル
ＰＵＳＣＨ  物理アップリンク共有チャネル
ＲＥ  リソース要素
ＲＢ  リソースブロック
ＲＢＧ  リソースブロックグループ
ＲＲＣ  無線リソース制御
ＳＣ−ＦＤＭ  シングルキャリア周波数分割多重
ＳＬ  サイドリンク
ＵＥ  ユーザ装置
ＵＬ  アップリンク
【００９０】
これらの略語は、該当する場合、３ＧＰＰ標準言語の使用法に従って使用され得る。
【図１】
2020520170.tif 000003
【図２】
2020520170.tif 000004
【図３】
2020520170.tif 000005
【国際調査報告】
2020520170.tif 000006
2020520170.tif 000007